(57)【要約】【課題】  レンズユニットの絞り値を推定できるカメラを提供する。【解決手段】  絞り値を検出不能なレンズユニットを通過した第一の光の照度と絞り値が既知の第二の光の照度とを計測する測光部と、前記第一の光の照度と前記第二の光の照度とに基づいて前記レンズユニットの推定絞り値を出力する推定部と、を備えることを特徴とするカメラ。【選択図】    図１
2006259055.tif 000002
【特許請求の範囲】
【請求項１】
絞り値を検出不能なレンズユニットを通過した第一の光の照度と絞り値が既知の第二の光の照度とを計測する測光部と、
前記第一の光の照度と前記第二の光の照度とに基づいて前記レンズユニットの推定絞り値を出力する推定部と、
を備えることを特徴とするカメラ。
【請求項２】
前記第二の光は前記レンズユニットを通過していない外光であることを特徴とする請求項１に記載のカメラ。
【請求項３】
前記測光部は、前記第一の光の照度を計測する内部照度計と、前記第二の光の照度を計測する外部照度計とを有することを特徴とする請求項２に記載のカメラ。
【請求項４】
前記測光部は、前記第一の光の照度と前記第二の光の照度とを実質的に同時に計測し、
前記推定部は、実質的に同時に計測された前記第一の光の照度と前記第二の光の照度とに基づいて前記レンズユニットの推定絞り値を出力することを特徴とする請求項２又は３に記載のカメラ。
【請求項５】
前記測光部は、ハーフシャッタ時に前記第一の光の照度と前記第二の光の照度とを計測し、
前記推定部は、ハーフシャッタ時に計測された前記第一の光の照度と前記第二の光の照度とに基づいて前記レンズユニットの推定絞り値を出力することを特徴とする請求項４に記載のカメラ。
【請求項６】
前記レンズユニットに設定すべき特定の絞り値に対応する前記推定絞り値を案内する案内部をさらに備え、
前記推定部は、前記特定の絞り値に対応する基準照度と前記第一の光の照度とに基づいて前記レンズユニットに対応する前記推定絞り値を補正することを特徴とすることを特徴とする請求項１〜５のいずれか一項に記載のカメラ。
【請求項７】
前記推定絞り値を補正するためのパラメータを前記推定部から取得し、前記パラメータを記憶する記憶部と、
記憶された前記パラメータの選択操作を受け付ける操作部と、をさらに備え
前記推定部は、選択された前記パラメータに基づいて前記推定絞り値を補正することを特徴とする請求項６に記載のカメラ。
【請求項８】
被写体画像とともに前記推定絞り値を記録媒体に記録する記録部をさらに備えることを特徴とする請求項１〜７のいずれか一項に記載のカメラ。
【発明の詳細な説明】
【技術分野】
【０００１】
本発明はカメラに関し、特に絞りの推定方法に関する。
【背景技術】
【０００２】
従来、リムーバブルメモリやフィルムといった記録媒体に画像とともに絞り値を記録できるレンズ交換型カメラが知られている。交換型レンズユニットには、通信機能により本体に絞り値を伝達できるものと、本体との通信機能をもたないものがある。本体との通信機能をもたない交換型レンズの場合、ユーザが設定した絞り値を本体が検出できないため、画像とともに絞り値を記録媒体に記録することができない。
【０００３】
【特許文献１】特開昭６０−６４３２９号公報
【発明の開示】
【発明が解決しようとする課題】
【０００４】
本発明は上述の問題を解決するために創作されたものであって、レンズユニットの絞り値を推定できるカメラを提供することを目的とする。
【課題を解決するための手段】
【０００５】
（１）上記目的を解決するカメラは、絞り値を検出不能なレンズユニットを通過した第一の光の照度と絞り値が既知の第二の光の照度とを計測する測光部と、前記第一の光の照度と前記第二の光の照度とに基づいて前記レンズユニットの推定絞り値を出力する推定部と、を備える。
レンズユニットを通過した第一の光の照度と、絞り値がわかっている第二の光の照度とを計測することにより、絞り値を検出不能なレンズユニットの絞り値を推定した値である推定絞り値を、第一の光の照度と第二の光の照度とに基づいて特定することができる。光の反射源および放射源の範囲が同じであれば、特定の既知の絞りを通過した光の照度がわかると未知の絞りを通過した光の照度を特定することができるからである。尚、第二の光の絞り値とは、絞り値の設定機能を備えた絞りの絞り値のみを意味するのではなく、光の通過量を制限する開口の面積に相関する値の全てを意味する。すなわち、第二の光は、絞り値の設定機能のない単なる開口を通過した光であってもよい。
【０００６】
（２）前記第二の光は前記レンズユニットを通過していない外光でもよい。
【０００７】
（３）前記測光部は、前記第一の光の照度を計測する内部照度計と、前記第二の光の照度を計測する外部照度計とを有してもよい。
２つの照度計を用いることにより、第一の光の照度と第二の光の照度を同時に計測することができる。
【０００８】
（４）前記測光部は、前記第一の光の照度と前記第二の光の照度とを実質的に同時に計測してもよい。前記推定部は、実質的に同時に計測された前記第一の光の照度と前記第二の光の照度とに基づいて前記レンズユニットの推定絞り値を出力してもよい。
第一の光の照度と第二の光の照度とを同時に計測することにより、同一照明環境下で第一の光の照度と第二の光の照度を計測できるため、レンズユニットの絞り値の推定精度を向上させることができる。
【０００９】
（５）前記測光部は、ハーフシャッタ時に前記第一の光の照度と前記第二の光の照度とを計測してもよい。前記推定部は、ハーフシャッタ時に計測された前記第一の光の照度と前記第二の光の照度とに基づいて前記レンズユニットの推定絞り値を出力してもよい。
撮影直前のハーフシャッタ時に計測された第一の光の照度と第二の光の照度とに基づいてレンズユニットの推定絞り値を出力することにより、操作性が向上する。
【００１０】
（６）前記カメラは、前記レンズユニットに設定すべき特定の絞り値に対応する前記絞り値を案内する案内部をさらに備えてもよい。前記推定部は、前記特定の絞り値に対応する基準照度と前記第一の光の照度とに基づいて前記レンズユニットに対応する前記推定絞り値を補正してもよい。
特定の推定絞り値に対応する基準照度、すなわちその特定の絞り値が設定されている絞りを通過した光の照度の基準となる照度と、実際にその特定の推定絞り値が設定されている絞りを通過した第一の光の照度との差は、その特定のレンズユニットと基準照度に対応する基準レンズユニットとの光学的な特性差に相関している。したがって、特定の絞り値に対応する基準照度と特定の絞り値が設定されているレンズユニットを通過した第一の光の照度とを用いることにより、特定のレンズユニットに対応する推定絞り値を補正し、絞り値の推定精度を向上させることができる。
【００１１】
（７）前記カメラは、前記推定絞り値を補正するためのパラメータを前記推定部から取得し前記パラメータを記憶する記憶部と、記憶された前記パラメータの選択操作を受け付ける操作部とをさらに備えてもよい。前記推定部は、選択された前記パラメータに基づいて前記推定絞り値を補正してもよい。
特定のレンズユニットについて推定絞り値を補正するためのパラメータを記憶し、記憶されたパラメータをユーザに選択させることにより、レンズユニットを交換するときに必要になる、レンズユニットの推定絞り値を補正するためのパラメータを設定するための操作を簡略化することができる。
【００１２】
（８）被写体画像とともに前記推定絞り値を記録媒体に記録する記録部をさらに備えてもよい。
被写体画像とともに推定絞り値を記録媒体に記録することにより、被写体画像と絞り値の関係をユーザが事後解析できるようになる。
【００１３】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。また、本発明は装置の発明として特定できるだけでなく、プログラムの発明としても、そのプログラムを記録した記録媒体の発明としても、方法の発明としても特定することができる。
【発明を実施するための最良の形態】
【００１４】
以下、複数の実施例に基づいて本発明の実施の形態を説明する。各実施例で共通する構成要素には同一の符号を用いることとし、重複する説明は省略する。
（第一実施例）
図２（Ａ）、（Ｂ）、（Ｃ）および図３（Ａ）は、本発明の一実施例によるディジタルスチルカメラ（ＤＳＣ）１の外観を示す図である。図３（Ｂ）は、ＤＳＣ１に交換型レンズユニット２を装着した状態の外観を示す図である。図４はＤＳＣ１を示すブロック図である。
【００１５】
ＤＳＣ１は、複数種類の交換型レンズユニット２をマウント２８に装着できる。レンズユニット２はレンズ交換ボタン３４を押すことによってＤＳＣ１から取り外すことができる。レンズユニット２の鏡筒外部にはピント調整ダイヤル５８と絞り調整ダイヤル５６が設けられている。ピント調整ダイヤル５８が回転すると、レンズ６０、６４が光軸方向に移動する。絞り調整ダイヤル５６が回転すると、絞り６２の口径が増減する。絞り６２の口径の指標が絞り値である。本発明は、交換型レンズユニット２がＤＳＣ１との通信機能をもたない場合に特に有用である。
【００１６】
第一シャッタ幕３０および第二シャッタ幕３２は、電気制御式フォーカルプレーンシャッタを構成している。第一シャッタ幕３０および第二シャッタ幕３２は、巻き上げレバー１４を回転させることによって作動可能状態になり、機械的な開放動作および遮断動作がシャッタ駆動部７０によって電気的に制御される。尚、シャッタの構成は、特に限定されるものではなく、シャッタ幕の作動に電気制御を用いないものであってもよいし、シャッタ幕を用いずにイメージセンサ７２の電荷蓄積時間をゲート信号によって制御するものであってもよい。
【００１７】
内部照度計６６は、第一シャッタ幕３０の反射光の照度を計測する光センサである。内部照度計６６は第一シャッタ幕３０の反射光の照度に応じたディジタル信号を出力する。内部照度計６６に入射する光の照度は、絞り６２の口径に応じて変化するため、絞り調整ダイヤル５６が回転すると内部照度計６６の出力値も変化する。第一シャッタ幕３０の反射光の照度は、レンズユニット２を通過してイメージセンサ７２に入射する光の照度に相関しているため、内部照度計６６はレンズユニット２を通過してイメージセンサ７２に入射する光の照度を間接的に計測していることになる。尚、シャッタ幕を用いない構成では、イメージセンサ７２がレンズユニット２を通過した光の照度を直接検出したり、ハーフミラーの反射光を内部照度計６６が間接的に検出することができる。
【００１８】
外部照度計６８は、ボディ２４に設けられた開口１６を通過した光、すなわちレンズユニット２の絞り６２を通過していない光の照度を計測する光センサである。外部照度計６８の受光範囲は、開口１６と外部照度計６８に設けられている図示しないレンズによって決まり、レンズユニット２の最大受光範囲と同じである。尚、外部照度計６８の受光範囲は、レンズユニット２の受光範囲と同じでなくてもよい。外部照度計６８の受光範囲がレンズユニット２の受光範囲と異なる場合であっても、中央領域の照度を重く評価することにより、受光範囲の差による推定絞り値の誤差を小さくすることができる。内部照度計６６は開口１６を通過した光の照度に応じたディジタル信号を出力する。
【００１９】
イメージセンサ７２は、二次元空間に離散的に配置された光電変換素子とＣＣＤ（Charge Coupled Device）等の電荷転送素子とを備えたカラー撮像素子であり、いわゆるＣＣＤカラーイメージセンサ、ＣＭＯＳカラーイメージセンサ等である。イメージセンサ７２は、レンズ６０、６４及び絞り６２によって受光面に結像された光学像の濃淡に応じた電気信号を出力する。イメージセンサ７２は、光電変換素子毎にベイヤ配列の色フィルタを備えるため、画素毎にＲＧＢいずれか１チャネルの濃淡レベルを示す電気信号を出力する。撮像コントローラ７６は、所定のタイミングでゲート信号、シフト信号等のパルス信号をイメージセンサ７２に出力し、イメージセンサ７２を駆動する。
【００２０】
アナログフロントエンド（ＡＦＥ）７４は、イメージセンサ７２から出力されるアナログ電気信号に対してＡＤ変換を施してＲＡＷデータを生成する。ＲＡＷデータとは、一般に撮像素子から出力されたアナログ電気信号を単純にディジタル化したデータのことである。ＡＦＥ７４から出力されるＲＡＷデータは、ＲＡＭコントローラ９８によってＲＡＭ１００に格納される。
【００２１】
色処理部１０２は、制御部８０と協働し、ＡＦＥ７４から出力されるＲＡＷデータに対し、現像処理を施す。現像処理は、各光電変換素子の蓄積電荷に対応するＲＡＷデータの各画素の濃淡レベルを近傍画素同士で補間するデモザイク処理とホワイトバランス補正と階調補正とにより、画素毎にＲＧＢの３チャネルの濃淡レベルを持つ画像を形成する処理である。
【００２２】
解像度変換部１０４は、制御部８０と協働し、画像の解像度（総画素数）を所定の解像度に変換する。具体的には例えば、解像度変換部１０４は、ユーザが撮像前に設定する撮像条件に応じた解像度に画像を変換したり、ＬＣＤ３６の画面サイズに対応した解像度に画像を変換する。
【００２３】
圧縮・伸張部１０６は、画像を圧縮し、また圧縮された画像を伸張する。尚、画像を圧縮せずにリムーバブルメモリ９２に格納することもできる。
以上説明した色処理部１０２、解像度変換部１０４及び圧縮・伸張部１０６の機能は、ＡＳＩＣ、ＤＳＰ等の専用回路で実現してもよいし、制御部８０が特定のプログラムを実行することによって実現してもよい。
【００２４】
案内部としてのグラフィックコントローラ９４は、合成機能を有する表示制御回路等を備え、ＲＡＭ１００のフレームメモリ領域に格納されている表示用画像を単体でＬＣＤ３６の画面に表示したり、所定のメッセージを案内部としてのＬＣＤ３６の画面に表示する。
操作部８４は、電源スイッチ５２、レリーズボタン１０、シャッタ速度ダイヤル１２や、撮影条件等を設定するためのボタン４０，４２，４４，４６，４８，５０およびジョグダイヤル２２を備える。
【００２５】
外部インタフェースコントローラ８６は、ＤＳＣ１と図示しないパーソナルコンピュータ（ＰＣ）等の外部システムとを通信可能に接続する。
記録部としての外部メモリコントローラ８８は、カードコネクタ９０に接続される記録媒体としてのリムーバブルメモリ９２にＲＡＭ１００に格納されているデータを転送する入出力機構である。
【００２６】
フラッシュメモリ８２は制御部８０が実行する画像処理プログラムを格納している不揮発性メモリである。ＤＳＣ１が作動するために必要な画像処理プログラムや各種のデータは、所定のサーバからのネットワークを介したダウンロード、リムーバブルメモリ９２からの読み出し等によってフラッシュメモリ８２に格納することもできる。
【００２７】
推定部、案内部および記録部としての制御部８０は、ＣＰＵ７８、ＲＡＭ１００及びＲＡＭコントローラ９８を備える。制御部８０はフラッシュメモリ８２に格納されている制御プログラムを実行することでＤＳＣ１の各部を制御する。ＲＡＭコントローラ９８は、ＡＦＥ７４、色処理部１０２、解像度変換部１０４、圧縮・伸張部１０６、ＣＰＵ７８、グラフィックコントローラ９４、外部メモリコントローラ９０、フラッシュメモリ８２等とＲＡＭ１００との間のデータ転送を制御する。
【００２８】
図５は、ＤＳＣ１の撮影処理の流れを示すフローチャートである。図５に示す処理は、制御部８０が制御プログラムの所定のモジュールを繰り返し実行することによって、ＤＳＣ１が撮影モードの期間中に繰り返し実行される。
ステップＳ１００では、制御部８０は、レリーズボタン１０がハーフシャッタの状態まで押し込まれたかどうかを判定する。ハーフシャッタとは、レリーズボタン１０が可動範囲の中間位置にある状態をいう。
レリーズボタン１０がハーフシャッタの状態まで押し込まれると、制御部８０は絞り値の推定処理を実行する（ステップＳ１０２）。
【００２９】
図１は絞り値の推定処理の流れを示すフローチャートである。
ステップＳ２００では、制御部８０は内部照度計６６の出力値を読み込み、レンズユニット２の絞り６２を通過した第一の光の照度を検出する。このとき絞り６２の絞り値は撮影実行時の絞り値と同じであり、第一シャッタ幕３０および第二シャッタ幕３２は図６（Ａ）に示すように閉じているため、このときに検出される第一の光の照度は撮影実行時の絞り値に対応している。
【００３０】
ステップＳ２０２では、制御部８０は外部照度計６８の出力値を読み込み、絞り６２を通過していない第二の光の照度を検出する。このとき外部照度計６８に入射する光を反射又は放射している被写界の中心は、内部照度計６６に入射する光を反射又は放射している被写界の中心と同じである。
ステップＳ２０４では、制御部８０は内部照度計６６および外部照度計６８の出力値に基づいて推定絞り値を取得する。具体的には、制御部８０は、以下の関係式に基づいて推定絞り値を算出し、ＲＡＭ１００の所定領域に格納する。
【００３１】
（関係式）
照度＝２EV×３．４、Ｆ：絞り値、ａ：外部照度計の出力値、ａ’：内部照度計の出力値、外部照度計の出力値：開口１６を通過する光の照度＝内部照度計の出力値：絞り６２を通過する光の照度、である場合
Ｆ＝（ａ／（ａ’×３．４））1/2
【００３２】
尚、内部照度計６６および外部照度計６８が光の照度に基づいてシャッタ速度を算出する機能を有する露出計である場合、制御部８０は内部照度計６６および外部照度計６８が出力するシャッタ速度に基づいて、上記関係式に対応する推定絞り値を算出することができる。
【００３３】
以上、絞り値の推定処理について説明した。図５に戻って撮影処理の説明を続ける。
ステップＳ１０４では、制御部８０はハーフシャッタの状態が解除されたかどうかを判定する。制御部８０はレリーズボタン１０がハーフシャッタの位置からばね力で押し上げられるとハーフシャッタの状態が解除されたと判定する。
ステップＳ１０６では、制御部８０はレリーズボタン１０がフルシャッタの位置まで押し込まれたか、すなわちレリーズボタン１０が完全に押し込まれたかどうかを判定する。
【００３４】
レリーズボタン１０がフルシャッタの位置まで押し込まれると、制御部８０は撮像コントローラ７６を介してイメージセンサ７２を制御してイメージセンサ７２からアナログ信号を出力させ、イメージセンサ７２から出力されるアナログ信号をＡＦＥ７４でデジタル化させる（ステップＳ１０８）。このときの絞り値は図６（Ｂ）に示すように、前述したように絞り推定処理時の絞り値と同一である。
【００３５】
ステップＳ１１０では、制御部８０は、ＡＦＥ７４から出力されたＲＡＷデータを色処理部１０２、解像度変換部１０４および圧縮・伸張部１０６で処理させることにより画像情報を生成する。具体的には画像情報をＲＡＭ１００の所定領域に格納する。このとき生成される画像情報のフォーマットは、例えばＪＰＥＧ、ビットマップ等である。
ステップＳ１１２では、制御部８０は、外部メモリコントローラ９０を制御することにより推定絞り値とともに画像情報をリムーバブルメモリ９２に格納する。リムーバブルメモリ９２に格納される推定絞り値および画像情報のデータ構造に特に制限はないが、例えばＥＸＩＦやＴＩＦＦのファイルフォーマットで推定絞り値および画像情報を１ファイルに格納することができる。
【００３６】
以上説明した第一実施例によると、ＤＳＣ１がレンズユニット２の絞り値を検出できない場合であっても、レンズユニット２の絞り値を画像情報とともにリムーバブルメモリ９２に格納することができる。また、第一実施例によると、内部照度計６６と外部照度計６８が実質的に同時に光の照度を計測するため、同一照明環境下にある被写範囲から到達する光の照度を計測することができる。尚、内部照度計６６と外部照度計６８が照度を計測している光の放射源又は反射源の範囲が同一でない場合であっても、内部照度計６６と外部照度計６８が同時に光の照度を計測する限り、内部照度計６６と外部照度計６８が照度を検出するときにレンズユニット２の光軸がずれないため、内部照度計６６と外部照度計６８の計測時がずれている場合に比べて高精度に絞り値を推定することができる。また、ハーフシャッタ時に推定絞り値が特定されるため、操作性が向上する。
【００３７】
（第二実施例）
レンズ６０の曇りによる経年劣化や、ベンダ毎の公表絞り値のばらつきなどがあるため、レンズユニット２の個体が異なると個体毎に推定絞り値を補正することが望ましい。本発明の第二実施例では、推定絞り値を補正する実施形態を説明する。
推定絞り値を補正するためには、レンズユニット２に設定されている現実の絞り値を制御部８０が認識し、上述の関係式で求まる推定絞り値を現実の絞り値に補正するための係数を記録する必要がある。現実の絞り値は、絞り値毎に制御部８０に認識させて絞り値毎に補正係数を算出してもよいし、１つの現実の絞り値を制御部８０に認識させ、その絞り値に基づいて全絞り値の補正係数を算出してもよい。１つの現実の絞り値から全絞り値の補正係数を算出する場合、ユーザの操作を軽減できるが、絞り６２の作動誤差がある場合には、推定絞り値の正確さが犠牲になる。一方、１つの現実の絞り値から全絞り値の補正係数を算出する場合であっても、レンズユニット２の透過率の差が現実の絞り値と推定絞り値の誤差として表れている場合には、正確に推定絞り値を補正することができる。具体的には例えばＤＳＣ１は以下のように作動する。
【００３８】
はじめに制御部８０は、レンズユニット２に設定させる絞り値をＬＣＤ３６に表示し、ユーザにその絞り値をレンズユニット２に設定させる。
次に制御部８０は、内部照度計６６と外部照度計６８の出力値を用いて上述の関係式に基づいて算出される推定絞り値とレンズユニット２に設定されている現実の絞り値とから補正計数を算出し、推定絞り値毎の補正係数をＬＵＴ（Look Up Table）に格納する。補正係数をフラッシュメモリ８２に格納することにより、いったん設定された補正係数を再利用することが可能になる。また、上述の関係式に基づいて算出される推定絞り値とユーザが設定した現実の絞り値との差が所定値（例えば０．５ＥＶ）以上になる場合には、エラー処理を実行してもよい。
【００３９】
ユーザが使用するレンズユニット２が複数ある場合、レンズユニット２毎の補正係数をフラッシュメモリ８２に格納しておくことで利便性を向上させることができる。例えば、レンズユニット２毎に補正係数を格納したＬＵＴを複数フラッシュメモリ８２に格納しておき、レンズユニット２の交換時に、ユーザにどのＬＵＴを使用するかを操作部８４を用いて指定させることができる。
【００４０】
（第三実施例）
絞り値は照度計が１つであっても推定することができる。本発明の第三実施例では、１つの照度計を用いて絞り値を推定する実施形態を説明する。
図７は１つの照度計６６を用いて絞り値の推定処理を実現するために必要な光学系の作動を示す模式図である。はじめに、第一シャッタ幕３０および第二シャッタ幕３２を閉じた状態で、ＤＳＣ１が認識している絞り値が設定されている絞り６２を通過した光の照度と、撮影実行時の絞り値が設定されている絞り６２を通過した光の照度とを内部照度計６６により計測する。これらの２つの光の放射源および反射源の範囲を一致させるため、２つの光の照度の計測はできるだけ短時間に行われることが望ましい。例えば、予め決められた特定の絞り値（Ｆｓ）をユーザに案内し、ユーザにその絞り値を絞り６２に設定させた状態（図７（Ａ）に示す状態）で絞り６２を通過した光の照度を計測することにより、ＤＳＣ１が認識している絞り値が設定されている絞り６２を通過した光の照度（Ｌ１）を計測することができる。特定の被写体から放射又は反射され、予め決められた特定の絞り値（Ｆｓ）が設定されている絞り６２を通過した光の照度（基準照度：Ｌｓ）が予めわかっている状態で、ＤＳＣ１が認識している絞り値が設定されている絞り６２を通過した光の照度（Ｌ１）を検出できれば、任意の絞り値が設定されている絞り６２（図７（Ｂ）に示す状態）について絞り値の推定が可能である。
【００４１】
図８は第三実施例による絞り値の推定処理を示すフローチャートである。
ステップＳ３００では、予め決められた特定の絞り値をユーザに設定させる。予め決められた特定の絞り値（Ｆｓ）は、ＬＣＤ３６への画面表示や操作マニュアルへの記載によってユーザに案内される。予め決められた特定の絞り値（Ｆｓ）は、ユーザが撮影直前に絞り調整ダイヤル５６を回転させることにより絞り６２に設定される。
【００４２】
ステップＳ３０２では、予め決められた特定の絞り値（Ｆｓ）が設定されている図７（Ａ）に示す状態で、制御部８０は内部照度計６６の出力値（ｘ１）を読み込み、絞りを通過した光の照度（Ｌ１）を計測する。
ステップＳ３０４では、撮影実行時と同一の絞り値をユーザに設定させる。
ステップＳ３０６では、撮影実行時と同一の絞り値が設定されている状態（図７（Ｂ）に示す状態）で、制御部８０は内部照度計６６の出力値（ｘ２）を読み込むことにより、撮影実行時と同一の絞り値が設定されている絞り６２を通過した光の照度（Ｌ２）を計測する。この処理は例えば制御部８０がハーフシャッタを検出したときに実行する。
【００４３】
ステップＳ３０８では、基準照度（Ｌｓ）とＬ１とＬ２とに基づいて推定絞りを算出する。特定の被写体から放射又は反射され、予め決められた特定の絞り値（Ｆｓ）が設定されている絞り６２を通過した光の照度（基準照度：Ｌｓ）に対応する内部照度計６６の出力値（ｘｓ）は、制御プログラムのデータとしてフラッシュメモリ８２に格納されている。推定絞り値は、基準照度（Ｌｓ）に対応する内部照度計６６の出力値（Ｌｓ）と、読み込んだ内部照度計６６の出力値（ｘ１、ｘ２）とに基づいて算出される。
第三実施例によると、ＴＴＬ方式の照度計６６が１つの場合であっても、絞りを推定することができる。
【００４４】
以上説明した複数の実施例では、ディジタルスチルカメラに本発明を適用した例について説明したが、本発明はフィルムカメラにも適用することができる。フィルムカメラに本発明を適用する場合、フィルムに推定露出値を露光によって記録したり、フィルムの磁気情報記録領域に推定露出値を記録することができる。
【図面の簡単な説明】
【００４５】
【図１】本発明の一実施例にかかるフローチャート。
【図２】（Ａ）は本発明の一実施例にかかる正面図、（Ｂ）は本発明の一実施例にかかる背面図、（Ｃ）は本発明の一実施例にかかる上面図。
【図３】（Ａ）、（Ｂ）ともに本発明の一実施例にかかる側面図。
【図４】本発明の一実施例にかかるブロック図。
【図５】本発明の一実施例にかかるフローチャート。
【図６】本発明の一実施例にかかる模式図。
【図７】本発明の一実施例にかかる模式図。
【図８】本発明の一実施例にかかるフローチャート。
【符号の説明】
【００４６】
２：レンズユニット、３６：ＬＣＤ（案内部）、５６：絞り調整ダイヤル、６０：レンズ、６６：内部照度計、６８：外部照度計、８０：制御部（推定部、案内部、記憶部）、８４：操作部、９２：リムーバブルメモリ（記録媒体）、９４：グラフィックコントローラ（案内部）１  特許文献
【図１】
2006259055.tif 000003
【図２】
2006259055.tif 000004
【図３】
2006259055.tif 000005
【図４】
2006259055.tif 000006
【図５】
2006259055.tif 000007
【図６】
2006259055.tif 000008
【図７】
2006259055.tif 000009
【図８】
2006259055.tif 000010